(57)【要約】【課題】ポータブルオーディオプレイヤに格納されたオーディオファイルをプリセットに登録して利用できる「オーディオ装置」を提供する。【解決手段】制御部６は、ユーザ操作に応じて、ポータブルオーディオプレイヤ１００に記録されているオーディオファイルを、ユーザ指定の属性を持つ楽曲のオーディオファイルに絞り込む。そして、プリセット登録操作が発生したならば、それまでに行った絞り込みの内容をプリセットメモリ１０に記録する。その後、プリセット再生が指示されたならば、プリセットメモリ１０に記録されている内容と等価なオーディオファイルの絞り込みを行って得られる、プリセット登録操作時にユーザが指定した属性を持つ楽曲のオーディオファイルを、ポータブルオーディオプレイヤ１００に再生させる。【選択図】図１
2008071397.tif 000002
【特許請求の範囲】
【請求項１】
オーディオファイル、または、オーディオファイルとオーディオファイルのプレイリストとの双方をオーディオコンテンツとして記憶し、記憶したオーディオコンテンツの再生を行うポータブルオーディオプレイヤを接続可能なオーディオ装置であって、
ユーザが選択したオーディオコンテンツの属性に従って、接続された前記ポータブルオーディオプレイヤに記憶されたオーディオコンテンツのうちから、処理対象とするオーディオコンテンツを絞り込む絞り込みを行うオーディオコンテンツ絞込手段と、
ユーザのプリセット登録操作に応じて、前記選択オーディオコンテンツ設定手段が行っている絞り込みの内容を、プリセット情報として登録するプリセット情報登録手段と、
ユーザのプリセット再生操作に応じて、前記プリセット情報として登録されている絞り込みの内容と等価な内容の絞り込みを行って、接続された前記ポータブルオーディオプレイヤに記憶されたオーディオコンテンツのうちから絞り込んだオーディオコンテンツを前記ポータブルオーディオプレイヤに再生させるプリセット再生制御手段とを有することを特徴とするオーディオ装置。
【請求項２】
請求項１記載のオーディオ装置であって、
ユーザの再生開始操作に応じて、前記オーディオコンテンツ絞込手段が絞り込んだ、処理対象とするオーディオコンテンツを、前記ポータブルオーディオプレイヤに再生させる再生制御手段を有することを特徴とするオーディオ装置。
【請求項３】
請求項１記載のオーディオ装置であって、
前記オーディオコンテンツ絞込手段は、ユーザから、楽曲の属性の選択を、前記オーディオコンテンツの属性の選択として受け付け、接続された前記ポータブルオーディオプレイヤに記憶されている、前記選択を受け付けた属性を有する楽曲のオーディオデータを格納したオーディオファイルを、前記処理対象とするオーディオコンテンツとする絞り込みを行い、
前記楽曲の属性は、楽曲の属する音楽的名ジャンルと楽曲のアーティストと楽曲が含まれるアルバムと楽曲のタイトルとのうちの少なくとも一つを含むことを特徴とするオーディオ装置。
【請求項４】
請求項１記載のオーディオ装置であって、
前記オーディオコンテンツ絞込手段は、ユーザからプレイリストの名称の選択を、前記オーディオコンテンツの属性の選択として受け付け、接続された前記ポータブルオーディオプレイヤに記憶されている、前記選択を受け付けたプレイリストの名称を有するプレイリストを、前記処理対象とするオーディオコンテンツとする絞り込みを行うことを特徴とするオーディオ装置。
【請求項５】
オーディオファイル、または、オーディオファイルとオーディオファイルのプレイリストとの双方をオーディオコンテンツとして記憶し、記憶したオーディオコンテンツの再生を行うポータブルオーディオプレイヤを接続可能なオーディオ装置であって、
接続された前記ポータブルオーディオプレイヤに前記オーディオコンテンツを再生させる再生制御手段と、
ユーザのプリセット登録操作に応じて、接続された前記ポータブルオーディオプレイヤが再生中のオーディオコンテンツの属性を、プリセット情報として登録するプリセット情報登録手段と、
ユーザのプリセット再生操作に応じて、前記プリセット情報として登録されている属性を有するオーティオコンテンツを前記ポータブルオーディオプレイヤに再生させるプリセット再生制御手段とを有することを特徴とするオーディオ装置。
【請求項６】
請求項５記載のオーディオ装置であって、
前記プリセット情報登録手段は、ユーザのプリセット登録操作に応じて、前記ポータブルオーディオプレイヤが再生中のオーディオコンテンツの属性として、当該ポータブルオーディオプレイヤが再生中のオーディオファイルにオーディオデータが格納されている楽曲の属性を、プリセット情報として登録し、
前記プリセット再生制御手段は、ユーザのプリセット再生操作に応じて、前記プリセット情報として登録されている属性を有する楽曲のオーディオデータを格納しているオーティオファイルを前記ポータブルオーディオプレイヤに再生させることを特徴とするオーディオ装置。
【請求項７】
請求項５記載のオーディオ装置であって、
前記プリセット情報登録手段は、前記ポータブルオーディオプレイヤがプレイリストを再生中に行われたユーザのプリセット登録操作に応じて、前記ポータブルオーディオプレイヤが再生中のオーディオコンテンツの属性として、当該ポータブルオーディオプレイヤが再生中のプレイリストの名称を、プリセット情報として登録し、
前記プリセット再生制御手段は、ユーザのプリセット再生操作に応じて、前記プリセット情報として登録されている名称を有するプレイリストを前記ポータブルオーディオプレイヤに再生させることを特徴とするオーディオ装置。
【請求項８】
オーディオファイル、または、オーディオファイルとオーディオファイルのプレイリストとの双方をオーディオコンテンツとして記憶し、記憶したオーディオコンテンツの再生を行うポータブルオーディオプレイヤを接続可能なオーディオ装置であって、
当該オーディオ装置に接続される複数の前記ポータブルオーディオプレイヤ毎に、当該ポータブルオーディオプレイヤに記憶されている特定のオーディオコンテンツの識別を表すコンテンツ識別情報を当該ポータブルオーディオプレイヤの識別を表すプレイヤ識別情報に対応づけて登録したプリセット情報を記憶するプリセット情報記憶手段と、
当該オーディオ装置に接続されている前記ポータブルオーディオプレイヤを識別する接続プレイヤ識別手段と、
ユーザのプリセット登録操作に応じて、接続されている前記ポータブルオーディオプレイヤに記憶されているオーディオコンテンツの内からユーザが選択したオーディオコンテンツの識別を表すコンテンツ識別情報を、前記接続プレイヤ識別手段が識別した前記ポータブルオーディオプレイヤの識別を表すプレイヤ識別情報に対応づけて前記プリセット情報に登録するプリセット登録手段と、
ユーザのプリセット再生操作に応じて、前記接続プレイヤ識別手段が識別した前記ポータブルオーディオプレイヤの識別を表すプレイヤ識別情報に対応づけて前記プリセット情報に登録されているコンテンツ識別情報が識別を表すオーディオコンテンツを、接続されているポータブルオーディオプレイヤに再生させるプリセット再生制御手段とを有することを特徴とするオーディオ装置。
【請求項９】
請求項８記載のオーディオ装置であって、
当該オーディオ装置を利用しているユーザを識別するユーザ識別手段を有し、
前記プリセット情報記憶手段は、当該オーディオ装置のユーザ毎に、前記プリセット情報を、当該ユーザの識別を表すユーザ識別情報に対応づけて記憶し、
前記プリセット登録手段は、ユーザのプリセット登録操作に応じて、接続されている前記ポータブルオーディオプレイヤに記憶されているオーディオコンテンツの内からユーザが選択したオーディオコンテンツの識別を表すコンテンツ識別情報を、前記接続プレイヤ識別手段が識別した前記ポータブルオーディオプレイヤの識別を表すプレイヤ識別情報に対応づけて、前記ユーザ識別手段が識別したユーザの識別を表すユーザ識別情報に対応づけられた前記プリセット情報に登録し、
前記プリセット再生制御手段は、ユーザのプリセット再生操作に応じて、前記ユーザ識別手段が識別したユーザの識別を表すユーザ識別情報に対応づけられた前記プリセット情報に、前記接続プレイヤ識別手段が識別した前記ポータブルオーディオプレイヤの識別を表すプレイヤ識別情報に対応づけて登録されているコンテンツ識別情報が識別を表すオーディオコンテンツを、接続されている前記ポータブルオーディオプレイヤに再生させることを有することを特徴とするオーディオ装置。
【請求項１０】
オーディオファイル、または、オーディオファイルとオーディオファイルのプレイリストとの双方をオーディオコンテンツとして記憶し、記憶したオーディオコンテンツの再生を行うポータブルオーディオプレイヤを接続可能なオーディオ装置であって、
ユーザのプリセット登録操作に応じて、接続された前記ポータブルオーディオプレイヤに記憶されているオーディオコンテンツの内からユーザが選択したオーディオコンテンツの識別を表すコンテンツ識別情報をプリセット情報として登録するプリセット情報登録手段と、
ユーザのプリセット再生操作に応じて、前記プリセット情報として登録されているコンテンツ識別情報が識別を表すオーティオコンテンツを、接続された前記ポータブルオーディオプレイヤに再生させるプリセット再生制御手段と、
接続された前記ポータブルオーディオプレイヤのオーディオコンテンツの記憶内容が変化している場合に、前記プリセット情報を無効化するプリセット情報無効化手段とを有することを特徴とするオーディオ装置。
【請求項１１】
請求項１記載のオーディオ装置であって、
当該オーディオ装置は、自動車に搭載されるオーディオ装置であることを特徴とするオーディオ装置。
【請求項１２】
請求項５記載のオーディオ装置であって、
当該オーディオ装置は、自動車に搭載されるオーディオ装置であることを特徴とするオーディオ装置。
【請求項１３】
請求項８記載のオーディオ装置であって、
当該オーディオ装置は、自動車に搭載されるオーディオ装置であることを特徴とするオーディオ装置。
【請求項１４】
請求項１０記載のオーディオ装置であって、
当該オーディオ装置は、自動車に搭載されるオーディオ装置であることを特徴とするオーディオ装置。
【請求項１５】
オーディオファイル、または、オーディオファイルとオーディオファイルのプレイリストとの双方をオーディオコンテンツとして記憶し、記憶したオーディオコンテンツの再生を行うポータブルオーディオプレイヤを接続可能なオーディオ装置において、接続されたポータブルオーディオプレイヤの再生を制御する再生制御方法であって、
ユーザが選択したオーディオコンテンツの属性に従って、接続された前記ポータブルオーディオプレイヤに記憶されたオーディオコンテンツのうちから、処理対象とするオーディオコンテンツを絞り込む絞り込みを行う第１のステップと、
ユーザのプリセット登録操作に応じて、前記で行った絞り込みの内容を、プリセット情報として登録する第２のステップと、
ユーザのプリセット再生操作に応じて、前記プリセット情報として登録されている絞り込みの内容と等価な内容の絞り込みを行って、接続された前記ポータブルオーディオプレイヤに記憶されたオーディオコンテンツのうちから絞り込んだオーディオコンテンツを前記ポータブルオーディオプレイヤに再生させる第３のステップとを有することを特徴とする再生制御方法。
【請求項１６】
オーディオファイル、または、オーディオファイルとオーディオファイルのプレイリストとの双方をオーディオコンテンツとして記憶し、記憶したオーディオコンテンツの再生を行うポータブルオーディオプレイヤを接続可能なオーディオ装置において、接続されたポータブルオーディオプレイヤの再生を制御する再生制御方法であって、
接続された前記ポータブルオーディオプレイヤに前記オーディオコンテンツを再生させるステップと、
ユーザのプリセット登録操作に応じて、接続された前記ポータブルオーディオプレイヤが再生中のオーディオコンテンツの属性を、プリセット情報として登録するステップと、
ユーザのプリセット再生操作に応じて、前記プリセット情報として登録されている属性を有するオーティオコンテンツを前記ポータブルオーディオプレイヤに再生させるステップとを有することを特徴とする再生制御方法。
【請求項１７】
オーディオファイル、または、オーディオファイルとオーディオファイルのプレイリストとの双方をオーディオコンテンツとして記憶し、記憶したオーディオコンテンツの再生を行うポータブルオーディオプレイヤを接続可能なオーディオ装置において、接続されたポータブルオーディオプレイヤの再生を制御する再生制御方法であって、
当該オーディオ装置に接続されている前記ポータブルオーディオプレイヤを識別するステップと、
ユーザのプリセット登録操作に応じて、接続されている前記ポータブルオーディオプレイヤに記憶されているオーディオコンテンツの内からユーザが選択したオーディオコンテンツの識別を表すコンテンツ識別情報を、前記識別した前記ポータブルオーディオプレイヤの識別を表すプレイヤ識別情報と対応づけたプリセット情報として登録するステップと、
ユーザのプリセット再生操作に応じて、識別した接続されている前記ポータブルオーディオプレイヤの識別を表すプレイヤ識別情報に対応づけられた前記プリセット情報として登録されているコンテンツ識別情報が識別を表すオーディオコンテンツを、前記接続されているポータブルオーディオプレイヤに再生させるステップとを有することを特徴とする再生制御方法。
【請求項１８】
オーディオファイル、または、オーディオファイルとオーディオファイルのプレイリストとの双方をオーディオコンテンツとして記憶し、記憶したオーディオコンテンツの再生を行うポータブルオーディオプレイヤを接続可能なオーディオ装置において、接続されたポータブルオーディオプレイヤの再生を制御する再生制御方法であって、
ユーザのプリセット登録操作に応じて、接続された前記ポータブルオーディオプレイヤに記憶されているオーディオコンテンツの内からユーザが選択したオーディオコンテンツの識別を表すコンテンツ識別情報をプリセット情報として登録するステップと、
ユーザのプリセット再生操作に応じて、前記プリセット情報として登録されているコンテンツ識別情報が識別を表す属性をオーティオコンテンツを、接続された前記ポータブルオーディオプレイヤに記憶されているオーディオコンテンツの内から探索し、探索したオーディオコンテンツを前記ポータブルオーディオプレイヤに再生させるステップと、
接続された前記ポータブルオーディオプレイヤのオーディオコンテンツの記憶内容が変化している場合に、前記プリセット情報を無効化するステップとを有することを特徴とする再生制御方法。
【請求項１９】
請求項１５記載の再生制御方法であって、
当該オーディオ装置は、自動車に搭載されるオーディオ装置であることを特徴とする再生制御方法。
【請求項２０】
請求項１６記載の再生制御方法であって、
当該オーディオ装置は、自動車に搭載されるオーディオ装置であることを特徴とする再生制御方法。
【発明の詳細な説明】
【技術分野】
【０００１】
本発明は、内蔵したＨＤＤや半導体メモリに楽曲のオーディオデータを格納したオーディオファイルを記録し、記録したオーディオファイルを再生出力するポータブルオーディオプレイヤ（「ポータブルミュージックプレイヤ」とも呼称される）を組込可能なオーディオ装置に関するものである。
【背景技術】
【０００２】
内蔵したＨＤＤや半導体メモリに楽曲のオーディオファイルを記録し、記録したオーディオファイルを再生出力するポータブルオーディオプレイヤを組込可能なオーディオ装置としては、ポータブルオーディオプレイヤを接続するコネクタと、表示装置と、入力装置と、スピーカやオーディオアンプなどのオーディオ出力部とを備え、コネクタに接続されたポータブルオーディオプレイヤの操作を表示装置と入力装置とを用いたユーザインタフェースを介してユーザより受け付けると共に、当該ユーザインタフェースを介してユーザから再生を指示された楽曲のオーディオファイルをポータブルオーディオプレイヤに再生させると共に、当該再生に伴ってコネクタに入力する当該楽曲のオーディオ信号をオーディオ出力部から出力するオーディオ装置が知られている（たとえば、特許文献１、特許文献２）。
【０００３】
一方、このようなオーディオファイルを取り扱うオーディオ装置の技術としては、装着されたＨＤＤに格納されたオーディオファイルのうちからユーザによって選択されたオーディオファイルを登録したお気に入りリストを作成して保持すると共に、ユーザの、お気に入りリストを用いたオーディオファイルの利用を可能とするカーオーディオ装置が知られている（たとえば、特許文献３）。
【特許文献１】特開2002-175685号公報
【特許文献２】特開2006-48867号公報
【特許文献３】特開2000-285660号公報
【発明の開示】
【発明が解決しようとする課題】
【０００４】
さて、ポータブルオーディオプレイヤを組込可能なオーディオ装置において、ユーザが、ポータブルオーディオプレイヤに格納されたオーディオファイルのうちの特定の楽曲のオーディオファイルを、お気に入りリストやキーボードショートカット等から直接再生可能とするためには、次の問題がある。
【０００５】
まず、通常、オーディオ装置は、ポータブルオーディオプレイヤにおいてオーディオファイルを管理しているファイルシステムに直接アクセスすることができないため、ユーザが指定した楽曲のオーディオファイルをオーディオ装置上に読み込んだり、ユーザが指定した楽曲のオーディオファイルへのファイルシステム上のパスを取得することができない。そして、このために、ポータブルオーディオプレイヤに格納されているオーディオファイルを、直接、お気に入りリストやキーボードショートカットに登録して取り扱うことができない。
【０００６】
次に、オーディオ装置には、複数のポータブルオーディオプレイヤが選択的に接続される可能性があり、あるポータブルオーディオプレイヤについて作成したお気に入りリストやキーボードショートカットを、他のポータブルオーディオプレイヤが接続されているときに実行するとエラーが発生することになる。
【０００７】
そこで、本発明は、ポータブルオーディオプレイヤを組み込んで利用可能なオーディオ装置において、ユーザが、ポータブルオーディオプレイヤに格納されたオーディオファイルのうちの特定の楽曲のオーディオファイルを、お気に入りリストやキーボードショートカットに登録して利用可能とすることを課題とする。
【課題を解決するための手段】
【０００８】
前記課題達成のために、本発明は、オーディオファイル、または、オーディオファイルとオーディオファイルのプレイリストとの双方をオーディオコンテンツとして記憶し、記憶したオーディオコンテンツの再生を行うポータブルオーディオプレイヤを接続可能なオーディオ装置に、ユーザが選択したオーディオコンテンツの属性に従って、接続された前記ポータブルオーディオプレイヤに記憶されたオーディオコンテンツのうちから、処理対象とするオーディオコンテンツを絞り込む絞り込みを行うオーディオコンテンツ絞込手段と、ユーザのプリセット登録操作に応じて、前記選択オーディオコンテンツ設定手段が行っている絞り込みの内容を、プリセット情報として登録するプリセット情報登録手段と、ユーザのプリセット再生操作に応じて、前記プリセット情報として登録されている絞り込みの内容と等価な内容の絞り込みを行って、接続された前記ポータブルオーディオプレイヤに記憶されたオーディオコンテンツのうちから絞り込んだオーディオコンテンツを前記ポータブルオーディオプレイヤに再生させるプリセット再生制御手段とを備えたものである。
【０００９】
このようなオーディオ装置によれば、プリセット再生操作が行われたときに再生するオーディオコンテンツを特定するプリセット情報として、ユーザが行ったオーディオコンテンツの属性によるオーディオコンテンツの絞り込みの内容を登録し、プリセット再生操作が行われたときには、プリセット情報として登録されている絞り込みと等価な絞り込みを行って絞り込んだオーティオコンテンツをポータブルオーディオプレイヤに再生させるので、オーディオ装置がオーディオコンテンツに直接アクセスできない場合でも、オーディオ装置が、オーディオコンテンツの属性によってオーディオコンテンツを絞り込んでポータブルオーディオプレイヤに再生させる機能を備えていれば、ユーザは、支障無く、オーディオコンテンツの属性によって絞り込んだ所望のオーディオコンテンツをプリセット再生操作によって再生するオーディオコンテンツとして設定し、利用することができるようになる。
【００１０】
ここで、以上のようなオーディオ装置は、ユーザの再生開始操作に応じて、前記オーディオコンテンツ絞込手段が絞り込んだ、処理対象とするオーディオコンテンツを、前記ポータブルオーディオプレイヤに再生させる再生制御手段備えていてもよい。
また、以上のオーディオ装置は、より具体的には、前記オーディオコンテンツ絞込手段において、ユーザから、楽曲の属性の選択を、前記オーディオコンテンツの属性の選択として受け付け、接続された前記ポータブルオーディオプレイヤに記憶されている、前記選択を受け付けた属性を有する楽曲のオーディオデータを格納したオーディオファイルを、前記処理対象とするオーディオコンテンツとする絞り込みを行うように構成してよく、この場合、前記楽曲の属性は、楽曲の属する音楽的名ジャンルと楽曲のアーティストと楽曲が含まれるアルバムと楽曲のタイトルとのうちの少なくとも一つを含むものとしてよい。
【００１１】
また、以上のオーディオ装置は、より具体的には、前記オーディオコンテンツ絞込手段において、ユーザから、プレイリストの名称の選択を、前記オーディオコンテンツの属性の選択として受け付け、接続された前記ポータブルオーディオプレイヤに記憶されている、前記選択を受け付けたプレイリストの名称を有するプレイリストを、前記処理対象とするオーディオコンテンツとする絞り込みを行うように構成してもよい。
【００１２】
さて、本発明は、前記課題達成のために、さらに、オーディオファイル、または、オーディオファイルとオーディオファイルのプレイリストとの双方をオーディオコンテンツとして記憶し、記憶したオーディオコンテンツの再生を行うポータブルオーディオプレイヤを接続可能なオーディオ装置に、接続された前記ポータブルオーディオプレイヤに前記オーディオコンテンツを再生させる再生制御手段と、ユーザのプリセット登録操作に応じて、接続された前記ポータブルオーディオプレイヤが再生中のオーディオコンテンツの属性を、プリセット情報として登録するプリセット情報登録手段と、ユーザのプリセット再生操作に応じて、前記プリセット情報として登録されている属性を有するオーティオコンテンツを、接続された前記ポータブルオーディオプレイヤに再生させるプリセット再生制御手段とを備えたものである。
【００１３】
このようなオーディオ装置によれば、プリセット再生操作が行われたときに再生するオーディオコンテンツを特定するプリセット情報として、ユーザがプリセット登録操作を行ったときに再生中のオーディオコンテンツの属性を用い、プリセット再生操作が行われたときには、プリセット情報として登録されている属性を有するオーティオコンテンツをポータブルオーディオプレイヤに再生させるので、オーディオ装置がオーディオコンテンツに直接アクセスできない場合でも、オーディオ装置が、再生中のオーディオコンテンツの属性を取得する機能と、特定の属性を有するオーディオコンテンツをポータブルオーディオプレイヤに再生させる機能を備えていれば、ユーザは、支障無く、再生中のオーディオコンテンツをプリセット再生操作によって再生するオーディオコンテンツとして設定し、利用することができるようになる。
【００１４】
ここで、このようなオーディオ装置は、より具体的には、前記プリセット情報登録手段において、ユーザのプリセット登録操作に応じて、前記ポータブルオーディオプレイヤが再生中のオーディオコンテンツの属性として、当該ポータブルオーディオプレイヤが再生中のオーディオファイルにオーディオデータが格納されている楽曲の属性を、プリセット情報として登録し、前記プリセット再生制御手段において、ユーザのプリセット再生操作に応じて、前記プリセット情報として登録されている属性を有する楽曲のオーディオデータを格納しているオーティオファイルを前記ポータブルオーディオプレイヤに再生させるように構成してもよい。
【００１５】
また、このようなオーディオ装置は、より具体的には、前記プリセット情報登録手段において、前記ポータブルオーディオプレイヤがプレイリストを再生中に行われたユーザのプリセット登録操作に応じて、前記ポータブルオーディオプレイヤが再生中のオーディオコンテンツの属性として、当該ポータブルオーディオプレイヤが再生中のプレイリストの名称を、プリセット情報として登録し、前記プリセット再生制御手段において、ユーザのプリセット再生操作に応じて、前記プリセット情報として登録されている名称を有するプレイリストを前記ポータブルオーディオプレイヤに再生させるように構成してもよい。
【００１６】
ここで、本発明は、さらに、前記課題達成のために、オーディオファイル、または、オーディオファイルとオーディオファイルのプレイリストとの双方をオーディオコンテンツとして記憶し、記憶したオーディオコンテンツの再生を行うポータブルオーディオプレイヤを接続可能なオーディオ装置に、当該オーディオ装置に接続される複数の前記ポータブルオーディオプレイヤ毎に、当該ポータブルオーディオプレイヤに記憶されている特定のオーディオコンテンツの識別を表すコンテンツ識別情報を当該ポータブルオーディオプレイヤの識別を表すプレイヤ識別情報に対応づけて登録したプリセット情報を記憶するプリセット情報記憶手段と、当該オーディオ装置に接続されている前記ポータブルオーディオプレイヤを識別する接続プレイヤ識別手段と、ユーザのプリセット登録操作に応じて、接続されている前記ポータブルオーディオプレイヤに記憶されているオーディオコンテンツの内からユーザが選択したオーディオコンテンツの識別を表すコンテンツ識別情報を、前記接続プレイヤ識別手段が識別した接続されている前記ポータブルオーディオプレイヤの識別を表すプレイヤ識別情報に対応づけて前記プリセット情報に登録するプリセット登録手段と、ユーザのプリセット再生操作に応じて、前記接続プレイヤ識別手段が識別した前記ポータブルオーディオプレイヤの識別を表すプレイヤ識別情報に対応づけて前記プリセット情報に登録されているコンテンツ識別情報が識別を表すオーディオコンテンツを、接続されているポータブルオーディオプレイヤに再生させるプリセット再生制御手段とを備えたものである。
【００１７】
このようにすることにより、オーディオ装置のユーザは、オーディオ装置に複数のポータブルオーディオプレイヤを選択的に接続して利用する場合に、支障無く、ポータブルオーディオプレイヤ毎に、プリセット再生操作によって再生するオーディオコンテンツを設定し、利用することができるようになる。
【００１８】
ここで、このようなオーディオ装置に、当該オーディオ装置を利用しているユーザを識別するユーザ識別手段を設け、前記プリセット情報記憶手段において、当該オーディオ装置のユーザ毎に、前記プリセット情報を、当該ユーザの識別を表すユーザ識別情報に対応づけて記憶し、前記プリセット登録手段において、ユーザのプリセット登録操作に応じて、接続されている前記ポータブルオーディオプレイヤに記憶されているオーディオコンテンツの内からユーザが選択したオーディオコンテンツの識別を表すコンテンツ識別情報を、前記接続プレイヤ識別手段が識別した前記ポータブルオーディオプレイヤの識別を表すプレイヤ識別情報に対応づけて、前記ユーザ識別手段が識別したユーザの識別を表すユーザ識別情報に対応づけられた前記プリセット情報に登録し、前記プリセット再生制御手段において、ユーザのプリセット再生操作に応じて、前記ユーザ識別手段が識別したユーザの識別を表すユーザ識別情報に対応づけられた前記プリセット情報に、前記接続プレイヤ識別手段が識別した前記ポータブルオーディオプレイヤの識別を表すプレイヤ識別情報に対応づけて登録されているコンテンツ識別情報が識別を表すオーディオコンテンツを、接続されているポータブルオーディオプレイヤに再生させるようにすることも好ましい。
【００１９】
このようにすることにより、オーディオ装置の各ユーザは、各々独自に、ポータブルオーディオプレイヤ毎に、プリセット再生操作によって再生するオーディオコンテンツを設定し、利用することができるようになる。
ここで、本発明は、前記課題達成のために、オーディオファイル、または、オーディオファイルとオーディオファイルのプレイリストとの双方をオーディオコンテンツとして記憶し、記憶したオーディオコンテンツの再生を行うポータブルオーディオプレイヤを接続可能なオーディオ装置に、ユーザのプリセット登録操作に応じて、接続された前記ポータブルオーディオプレイヤに記憶されているオーディオコンテンツの内からユーザが選択したオーディオコンテンツの識別を表すコンテンツ識別情報をプリセット情報として登録するプリセット情報登録手段と、ユーザのプリセット再生操作に応じて、前記プリセット情報として登録されているコンテンツ識別情報が識別を表すオーティオコンテンツを、接続されている前記ポータブルオーディオプレイヤに再生させるプリセット再生制御手段と、接続された前記ポータブルオーディオプレイヤのオーディオコンテンツの記憶内容が変化している場合に、前記プリセット情報を無効化するプリセット情報無効化手段とを備えたものである。
【００２０】
このようにすることにより、オーディオ装置に接続されていない期間中にポータブルオーディオプレイヤのオーディオコンテンツの記録内容が変更されたために、プリセット再生操作が行われた時に、プリセット情報として識別が登録されている再生すべきオーティオコンテンツを、ポータブルオーディオプレイヤに再生させることができなくなりってエラーが発生してしまうことを事前に抑止することができる。
【００２１】
なお、以上の各オーディオ装置は、自動車に搭載されるオーディオ装置であってよい。
【発明の効果】
【００２２】
以上のように、本発明によれば、ポータブルオーディオプレイヤを組み込んで利用可能なオーディオ装置において、ユーザが、ポータブルオーディオプレイヤに格納されたオーディオファイルのうちの特定の楽曲のオーディオファイルを、お気に入りリストやキーボードショートカット等に登録して利用することができるようになる。
【発明を実施するための最良の形態】
【００２３】
以下、本発明の実施形態を、自動車に搭載されるオーディオシステム（カーオーディオシステム）への適用を例にとり説明する。
図１に、本実施形態に係るオーディオシステムの構成を示す。
図示するように、オーディオシステムは、複数のキーを備えた入力装置１、LCDなどである表示装置２、スピーカ３、オーディオ信号のイコライズ機能や増幅機能を備えたオーディオアンプ部４、オーディオセレクタ５、制御部６、ポータブルオーディオプレイヤ１００を挿抜可能に接続するコネクタ７、ポータブルオーディオプレイヤ１００のコネクタ７への挿抜を検知する挿抜検知部８、ラジオ受信機やＣＤプレイヤなどである１または複数のオーディオソース９、不揮発性メモリを用いて構成されるプリセットメモリ１０とを備えている。
【００２４】
そして、このような構成において、制御部６は、入力装置１と表示装置２を用いたユーザインタフェース上でユーザの各種操作を受け付けて各部を制御する。
すなわち、制御部６は、ユーザの出力ソース選択操作に応じて、ポータブルオーディオプレイヤ１００とオーディオソース９のいずれかを、出力ソース機器に設定すると共に、オーディオセレクタ５に出力ソース機器が出力するオーディオ信号をオーディオアンプ部４に出力させる。また、ユーザの再生制御操作に応じて出力ソース機器の再生動作を制御したり、ユーザのボリューム調整操作や音質調整操作に応じて、オーディオアンプ部４のイコライズ機能や増幅機能の特性を制御する。オーディオアンプ部４は、オーディオセレクタ５から入力するオーディオ信号に、制御部６の制御に従った特性のイコライズや増幅を施してスピーカ３に出力する。
【００２５】
次に、ポータブルオーディオプレイヤ１００は、複数のオーディオファイルとプレイリストとを記憶しており、コネクタ非接続時には、ポータブルオーディオプレイヤ１００自身が備える操作部に対するユーザ操作に応じて、記憶しているプレイリストやオーディオファイルを再生出力する。一方、ポータブルオーディオプレイヤ１００は、コネクタ接続時には、制御部６からコネクタ７を介して発行されたコマンドによって、記憶しているプレイリストやオーディオファイルの再生動作が制御される。そして、ポータブルオーディオプレイヤ１００は、コネクタ接続時におけるオーディオファイルの再生動作時には再生したオーディオ信号をコネクタ７を介してオーディオセレクタ５に出力する。また、ポータブルオーディオプレイヤ１００は、コネクタ接続時には、制御部６からの要求に応じて、記憶しているプレイリストの情報やオーディオファイルのタグ情報をメニュー情報として制御部６に提供する。ここで、オーディオファイルのタグ情報には、オーディオファイルにオーディオデータが格納されている楽曲のジャンル名、アーティスト名、アルバム名、タイトルなどが記述されている。
【００２６】
一方、制御部６は、サーチメニュー呼び出しが発生すると、ポータブルオーディオプレイヤ１００から上述したメニュー情報を取得し、取得したメニュー情報に基づいて、表示装置２にサーチメニューを表示する。ここで、サーチメニュー呼び出しは、ポータブルオーディオプレイヤ１００が出力ソース機器として設定されたときや、ポータブルオーディオプレイヤ１００が出力ソース機器として設定されているときに、入力装置１に対するユーザのメニュー呼び出し操作が行われたときに発生する。さて、制御部６は、表示したサーチメニュー上で、プレイリストやオーディオファイルの選択操作を受け付け、再生開始操作を受け付けたならば、選択操作によって選択されているプレイリストやオーディオファイルの再生を要求するコマンドをポータブルオーディオプレイヤ１００に発行する。そして、プレイリストやオーディオファイルの再生を要求するコマンドを受け取ったポータブルオーディオプレイヤ１００は、要求に応じて、再生を要求されたプレイリストに登録された各オーディオファイルの再生や、再生を要求されたオーディオファイルの再生動作を行う。
【００２７】
図２ａは、以上のようなサーチメニューを用いた、ユーザのポータブルオーディオプレイヤ１００のプレイリストやオーディオファイルの再生操作の受け付けの例を示したものである。
図示した例では、サーチメニューを階層化して設けており、この例では、サーチメニューの呼び出しが発生すると、制御部６は、まず、「アルバム」、「ジャンル」、「アーティスト」、「プレイリスト」、「ソングス」...のメニュー項目を有するルートメニューを表示する。そして、ルートメニュー上でユーザによって「アーティスト」の選択操作が行われたならば、「アーティスト」を選択状態とする「アーティスト選択」を行う。そして、「アーティスト」が選択状態にあるときにユーザによって決定操作が行われたならば、ポータブルオーディオプレイヤ１００に格納されているオーディオファイルのタグ情報に記述されているアーティスト名の固有値（図中の「アーティストＡ」、「アーティストＢ」、「アーティストＣ」等）の各々をメニュー項目とするアーティストメニューを表示する「アーティスト探索」を行う。そして、アーティストメニュー上で、ユーザによって「アーティストＢ」の選択操作が行われたならば、「アーティストＢ」を選択状態とする「アーティストＢ選択」を行う。そして、「アーティストＢ」が選択状態にあるときにユーザによって決定操作が行われたならば、ポータブルオーディオプレイヤ１００に格納されているオーディオファイルのタグ情報に「アーティストＢ」と共に記述されているアルバム名の固有値（図中の「アルバムａ」、「アルバムｂ」、「アルバムｃ」等）の各々をメニュー項目とするアルバムメニューを表示する「アーティストＢ探索」を行う。
【００２８】
そして、アルバムメニュー上で、ユーザによって「アルバムｂ」の選択操作が行われたならば、「アルバムｂ」を選択状態とする「アルバムｂ選択」を行う。そして、「アルバムｂ」が選択状態にあるときにユーザによって決定操作が行われたならば、ポータブルオーディオプレイヤ１００に格納されているオーディオファイルのタグ情報に「アーティストＢ」、「アルバムｂ」と共に記述されているタイトル名の固有値（図中の「タイトル１」、「タイトル２」、「タイトル３」等）の各々をメニュー項目とするタイトルメニューを表示する「アルバムｂ探索」を行う。そして、タイトルメニュー上で、ユーザによって「タイトル２」の選択操作が行われたならば、「タイトル２」を選択状態とする「タイトル２選択」を行う。そして、「タイトル２」が選択状態にあるときにユーザによって再生開始操作が行われたならば、ポータブルオーディオプレイヤ１００に、タイトルメニュー上の「タイトル２」に対応するオーディオファイルの再生を要求するコマンドを発行する「タイトル２再生指示」を行う。なお、このコマンドに従ってポータブルオーディオプレイヤ１００において再生されることになる、タイトルメニュー上の「タイトル２」に対応するオーディオファイルは、「アーティストＢ」、「アルバムｂ」及び「タイトル２」がタグ情報に記述されたオーディオファイルとなる。
【００２９】
また、以上のルートメニューやアーティストメニューやアルバムメニューを表示している状態において、ユーザから再生開始操作を受け付けた場合には、制御部６は、ポータブルオーディオプレイヤ１００に、その時点においてサーチメニュー上で選択状態にあるメニュー項目に対応するオーディオファイルの再生を要求するコマンドを発行することにより、当該メニュー項目に対応するオーディオファイルの再生を行う。すなわち、たとえば、アルバムメニューで「アルバムｂ」が選択状態にあるときに、ユーザから再生開始操作を受け付けた場合には、アルバムメニュー上の「アルバムｂ」に対応するオーディオファイルの再生を要求するコマンドをポータブルオーディオプレイヤ１００に発行する。なお、このコマンドに従ってポータブルオーディオプレイヤ１００において再生されることになる、アルバムメニュー上の「アルバムｂ」に対応するオーディオファイルは、「アーティストＢ」及び「アルバムｂ」がタグ情報に記述された各オーディオファイルとなる。また、たとえば、アーティストメニュー上で、「アーティストＢ」が選択状態にあるときに、ユーザから再生開始操作を受け付けた場合には、アーティストメニュー上の「アーティストＢ」に対応するオーディオファイルの再生を要求するコマンドをポータブルオーディオプレイヤ１００に発行する。なお、このコマンドに従ってポータブルオーディオプレイヤ１００において再生されることになるアーティストメニュー上の「アーティストＢ」に対応するオーディオファイルは、「アーティストＢ」がタグ情報に記述された各オーディオファイルとなる。
【００３０】
次に、図２ｂは、図２ａに示したようなサーチメニューを用いた、ユーザの再生操作の受け付けの他の例を示したものである。
この例は、ルートメニュー上でユーザによって「プレイリスト」の選択操作が行われた場合を示しており、この場合には、まず、ユーザによって「プレイリスト」の選択操作に応じて「プレイリスト」を選択状態とする「プレイリスト選択」を行う。そして、「プレイリスト」が選択状態にあるときにユーザによって決定操作が行われたならば、ポータブルオーディオプレイヤ１００に格納されているプレイリストのプレイリスト名称の固有値（図中の「プレイリストＡ」、「プレイリストＢ」、「プレイリストＣ」等）の各々をメニュー項目とするプレイリストメニューを表示する「プレイリスト探索」を行う。そして、プレイリストメニュー上で、ユーザによって「プレイリストＢ」の選択操作が行われたならば、「プレイリストＢ」を選択状態とする「プレイリストＢ選択」を行う。そして、「プレイリストＢ」が選択状態にあるときにユーザによって再生開始操作が行われたならば、ポータブルオーディオプレイヤ１００に、プレイリストメニュー上の「プレイリストＢ」に対応するプレイリストの再生を要求するコマンドを発行する「プレイリストＢ再生指示」を行う。なお、このコマンドに従ってポータブルオーディオプレイヤ１００において再生されることになるプレイリストメニュー上の「プレイリストＢ」に対応するプレイリストは、「プレイリストＢ」のプレイリスト名称を持つプレイリストとなる。
【００３１】
なお、サーチメニューを構成する個々のメニューのメニュー項目と、当該メニュー項目に対応するオーディオファイルやプレイリストとの対応付けは、制御部６とポータブルオーディオプレイヤ１００において協調して管理する。
すなわち、たとえば、ポータブルオーディオプレイヤ１００において、提供するメニュー情報において表示すべきメニュー項目を規定すると共に、メニュー情報提供時に、各メニュー項目と当該メニュー項目に対応するオーディオファイルやプレイリストとの対応を管理するようにすると共に、制御部において、メニュー項目に対応するオーディオファイルの再生を要求するコマンドで当該メニュー項目を指定するようにする。そして、ポータブルオーディオプレイヤ１００において、コマンドで指定されたメニュー項目に対応づけて管理しているオーディオファイルやプレイリストを再生するようにする。または、たとえば、制御部において、メニュー項目に対応するオーディオファイルの再生を要求するコマンドにおいて、当該メニュー項目に対応するオーディオファイルやプレイリストが満たすべき条件（再生されるオーディオファイルのタグ情報に記述されていなければならないアーティスト名やアルバム名やタイトルや、再生されるプレイリストのプレイリスト名称）を指定するようにする。そして、ポータブルオーディオプレイヤ１００において、コマンドで指定されたタグ情報の条件やプレイリスト名称の条件に合致するオーディオファイルやプレイリストを探索して再生するようにする。
【００３２】
さて、ここで、以上のサーチメニューの生成に用いるメニュー情報（ポータブルオーディオプレイヤ１００に格納されているプレイリストの情報や、ポータブルオーディオプレイヤ１００に格納されているオーディオファイルのタグ情報）は、制御部６が、ポータブルオーディオプレイヤ１００の接続時に、ポータブルオーディオプレイヤ１００より一括して取得する。
【００３３】
または、サーチメニューを構成する個々のメニューの表示開始時に、制御部６が、表示しようとするメニューについてのメニュー情報として、ポータブルオーディオプレイヤ１００から逐次的に取得する。
すなわち、この場合には、たとえば、図２ａの前述した「アーティスト探索」では、アーティスト検索要求をポータブルオーディオプレイヤ１００に発行し、検索要求を受け取ったポータブルオーディオプレイヤ１００において、格納しているオーディオファイルのタグ情報に記述されているアーティスト名の固有値をメニュー情報として応答し、制御部６において、応答されたメニュー情報より、上述のアーティストメニューを生成、表示するようにする。また、前述した「アーティストＢ探索」では、「アーティストＢ」を検索キーとする検索要求をポータブルオーディオプレイヤ１００に発行し、検索要求を受け取ったポータブルオーディオプレイヤ１００において、格納しているオーディオファイルのタグ情報のうちから「アーティストＢ」が記述されているタグ情報を探索して、探索したタグ情報に記述されているアルバム名の固有値をメニュー情報として応答し、制御部６において、応答されたメニュー情報より、上述のアルバムメニューを生成、表示するようにする。また、前述した「アルバムｂ探索」において、「アーティストＢ」、「アルバムｂ」を検索キーとする検索要求をポータブルオーディオプレイヤ１００に発行し、検索要求を受け取ったポータブルオーディオプレイヤ１００において、格納しているオーディオファイルのタグ情報のうちから「アーティストＢ」及び「アルバムｂ」が記述されているタグ情報を探索して、探索したタグ情報に記述されているタイトルの固有値をメニュー情報として応答し、制御部６において、応答されたメニュー情報より、上述のタイトルメニューを生成、表示するようにする。また、前述した図２ｂの「プレイリスト探索」では、プレイリスト検索要求をポータブルオーディオプレイヤ１００に発行し、検索要求を受け取ったポータブルオーディオプレイヤ１００において、格納している各プレイリストのプレイリスト名称をメニュー情報として応答し、制御部６において、応答されたメニュー情報より、上述のプレイリストメニューを生成、表示するようにする。
【００３４】
ただし、ルートメニューのメニュー項目を固定とする場合には、このルートメニューのメニュー項目の情報を表すメニュー情報は、予め、制御部６に固定的に記憶しておくものとし、このメニュー情報については、ポータブルオーディオプレイヤ１００から取得しないようにしてもよい。
【００３５】
次に、図３に本実施形態においてプリセットメモリ１０に登録するプリセットテーブルを示す。
図示するように、ＰＡＰプリセットテーブルは、オーディオシステムに接続されたことのあるポータブルオーディオプレイヤ毎に対応して設けられたＰＡＰプリセットデータを有し、各ＰＡＰプリセットデータは、対応するポータブルオーディオプレイヤ１００の識別子であるＰＡＰ識別データと、オーディオシステムのユーザ毎に対応して設けたユーザプリセット情報とを有する。
【００３６】
そして、ユーザプリセット情報には、対応するユーザの識別子となるユーザ識別情報とプリセットアイテムデータが登録される。そして、プリセットアイテムデータは、１からｎまでの各プリセット番号ｉについて、プリセットｉサーチルートを登録することができる。
【００３７】
以下、このようなオーディオシステムにおける、オーディオファイルのプリセット再生動作について説明する。
制御部６は、このオーディオファイルのプリセット再生動作のために、ＰＡＰプリセット選定処理と、ＰＡＰプリセット登録処理と、ＰＡＰプリセット再生処理とを行う。
まず、ＰＡＰプリセット選定処理について説明する。
このＰＡＰプリセット選定処理は、オーディオシステムの起動時やポータブルオーディオプレイヤ１００のコネクタ７への接続時に実行され、接続されたポータブルオーディオプレイヤ及びオーディオシステムのユーザに対応するプリセットアイテムデータを現用プリセットアイテムデータに設定する。
【００３８】
図４に、このＰＡＰプリセット選定処理の手順を示す。なお、以降の各図では、便宜上、ポータブルオーディオプレイヤ１００を、「ＰＡＰ」と略記する。
図示するように、このＰＡＰプリセット選定処理では、まず、コネクタ７に接続されているポータブルオーディオプレイヤ１００からデバイス識別データを取得する（ステップ４０２）、このデバイス識別データとしては、ポータブルオーディオプレイヤ１００のシリアル番号や、ポータブルオーディオプレイヤ１００にユーザが設定したポータブルオーディオプレイヤ１００の名称を用いることができる。
【００３９】
次に、ステップ４０２でデバイス識別データを取得したならば、現在のオーディオシステムのユーザと、現在接続されているポータブルオーディオプレイヤ１００との組み合わせを識別し、識別した組み合わせが、前回ステップ４０４の処理を行ったときの組み合わせと同じであるかどうかを判定する（ステップ４０４）。
【００４０】
ここで、このステップ４０４の判定のために、ＰＡＰプリセット選定処理のステップ４０４では、識別した現在のオーディオシステムのユーザと、識別した現在接続されているポータブルオーディオプレイヤ１００との組み合わせを記憶しておくようにする。
なお、ステップ４０４における現在のオーディオシステムのユーザの識別は、オーディオシステムの起動時に、制御部６において、入力装置１を介してユーザから入力されたパスワードなどによってユーザ認証を行うユーザ認証処理を行って識別する。ただし、オーディオシステムが搭載された車両が備えているユーザ認証機能、たとえば、イグニッションキー用の鍵またはリモートキーに応じてユーザを認証するユーザ認証機能等を利用してユーザを識別するようにしてもよい。また、ステップ４０４における現在接続されているポータブルオーディオプレイヤ１００の識別は、ステップ４０２で取得したデバイス識別データによって識別するようにする。また、この場合において、挿抜検知部８において、前回ステップ４０４を実行して以降、コネクタ７からのポータブルオーディオプレイヤ１００が外されたことが検知されていない場合に、無条件に、現在接続されているポータブルオーディオプレイヤ１００が、前回ステップ４０４を実行したときに接続されているものと同じポータブルオーディオプレイヤ１００であると識別するようにしてもよい。なお、挿抜検知部８は、オーディオシステムの電源がオフである期間中も、コネクタ７からのポータブルオーディオプレイヤ１００の挿抜を検知し、検知結果を保持する。この挿抜の検知は、たとえば、コネクタ７の端子間の、ポータブルオーディオプレイヤ１００の接続の有無による、電気抵抗値の変化を検出することなどにより行うことができる。
【００４１】
さて、次に、ステップ４０４で、現在のオーディオシステムのユーザと現在接続されているポータブルオーディオプレイヤ１００との組み合わせが、前回ステップ４０４の処理を行ったときの組み合わせが異なると判定された場合には、まず、ステップ４０２で取得したデバイス識別データがＰＡＰ識別データとして登録されているＰＡＰプリセットデータを、プリセットメモリ１０のＰＡＰプリセットテーブルから抽出し（ステップ４０６）、抽出したＰＡＰプリセットデータを現用ＰＡＰプリセットデータに設定し（ステップ４１０）、現用ＰＡＰプリセットデータから、ステップ４０４で識別した現在のオーディオシステムのユーザを表すユーザ識別情報が登録されたユーザプリセット情報を抽出する（ステップ４１２）、そして、抽出したユーザプリセット情報を現用ユーザプリセット情報に設定し（ステップ４１６）、現用ユーザプリセット情報のプリセットアイテムデータを現用プリセットアイテムデータに設定する（ステップ４１８）。なお、ステップ４１８では、現在接続されているポータブルオーディオプレイヤ１００の記録内容が前回ステップ４１８を実行したときと比べ変化しているかどうかを判定し、変化している場合には、現用ユーザプリセット情報のプリセットアイテムデータの内容をクリアした上で、現用プリセットアイテムデータに設定するようにしてもよい。このようにすることにより、接続されているポータブルオーディオプレイヤ１００の記録内容の変化のために、現用プリセットアイテムデータに登録されているプリセットiサーチルートによるサーチを行えなくなってしまっている場合に、当該サーチを行ってエラーが発生してしまうことを事前に抑止することができる。このプリセットiサーチルートによるサーチについては、後述する。
【００４２】
なお、ポータブルオーディオプレイヤ１００の記録内容が変化しているかどうかは、ポータブルオーディオプレイヤ１００に記録されているプレイリストの一致性や、ポータブルオーディオプレイヤ１００に格納されている特定種類のファイルのダウンロード日時を含むタグ情報の一致性、ポータブルオーディオプレイヤ１００に登録されているポータブルオーディオプレイヤ１００への最終格納オーディオファイルの情報の一致性などの、ポータブルオーディオプレイヤ１００の記録内容やその特徴値を用いることができる。なお、ステップ４１８では、この判定のために、毎回、今回の判定に用いた、接続されているポータブルオーディオプレイヤ１００の現在の記録内容やその特徴値を保存しておくようにする。
【００４３】
なお、ステップ４０２で取得したデバイス識別データがＰＡＰ識別データとして登録されているＰＡＰプリセットデータが存在しなかった場合には（ステップ４０８）、取得したデバイス識別データがＰＡＰ識別データとして登録した新たなＰＡＰプリセットデータをＰＡＰプリセットテーブルに作成し、作成したＰＡＰプリセットデータを現用ＰＡＰプリセットデータに設定する（ステップ４２０）。また、現用ＰＡＰプリセットデータに、ステップ４０４で識別した現在のオーディオシステムのユーザを表すユーザ識別情報が登録されたユーザプリセット情報が登録されていない場合には（ステップ４１４）、識別した現在のオーディオシステムのユーザを表すユーザ識別情報を登録したユーザプリセット情報を現用ＰＡＰプリセットデータに作成し、作成したユーザプリセット情報を現用ユーザプリセット情報に設定する（ステップ４２２）。そして、この現用ユーザプリセット情報に、内容が空のプリセットアイテムデータを作成し、作成したプリセットアイテムデータを現用プリセットアイテムデータに設定する（ステップ４２４）。
【００４４】
一方、ステップ４０４で、現在のオーディオシステムのユーザと現在接続されているポータブルオーディオプレイヤ１００との組み合わせが、前回ステップ４０４の処理を行ったときの組み合わせと同じであると判定された場合には、そのままＰＡＰプリセット選定処理を終了する。この結果、現用ＰＡＰプリセットデータと現用ユーザプリセット情報と現用プリセットアイテムデータは、そのまま前回設定した通り維持される。
【００４５】
次に、制御部６が行うＰＡＰプリセット登録処理について説明する。
ＰＡＰプリセット登録処理は、図２に示したサーチメニューを表示している期間中行われる処理であり、この処理では、ユーザ操作に応じて、現用プリセットアイテムデータにプリセットiサーチルートを登録する。
さて、図５に示すように、このＰＡＰプリセット登録処理では、ユーザの選択操作に応じて、図２に示したサーチメニューのいずれかのメニュー項目が選択状態となったならば（ステップ５０２）、当該選択状態となったメニュー項目までのルートメニューからのルートに、サーチルートを更新し保存する（ステップ５０６）。
【００４６】
すなわち、たとえば、図２ａのようにルートメニュー上のユーザの選択操作に応じて「アーティスト」が選択状態となったならば、サーチルートは、「アーティスト」となり、その後の「アーティスト探索」によって表示されるアーティストメニューのユーザの選択操作に応じて「アーティストＢ」が選択状態となったならば、サーチルートは、「アーティスト」-「アーティストＢ」に更新され、その後の「アーティストＢ探索」によって表示されるアルバムメニュー上のユーザの選択操作に応じて「アルバムｂ」が選択状態となったならば、サーチルートは、「アーティスト」-「アーティストＢ」-「アルバムｂ」に更新され、その後の「アルバムｂ探索」によって表示されるタイトルメニュー上のユーザの選択操作に応じて「タイトル２」が選択状態となったならば、サーチルートは、「アーティスト」-「アーティストＢ」-「アルバムｂ」-「タイトル２」に更新される。
【００４７】
また、同様に図２ｂａのようにルートメニュー上のユーザの選択操作に応じて「プレイリスト」が選択状態となったならば、サーチルートは、「プレイリスト」となり、その後の「プレイリストＢ探索」によって表示されるプレイリストメニューのユーザの選択操作に応じて「プレイリストＢ」が選択状態となったならば、サーチルートは、「プレイリスト」-「プレイリストＢ」に更新される。
【００４８】
さて、図５に戻り、ＰＡＰプリセット登録処理では、ユーザによって入力装置１に対するプリセット番号を指定したプリセット登録操作が行われたならば（ステップ５０４）、図４のＰＡＰプリセット選定処理によって選定された現用プリセットアイテムデータに、ステップ５０６で保存しているサーチルートを、プリセットiサーチルートとして登録する（ステップ５０８）。但し、iはユーザが指定したプリセット番号である。なお、ユーザからの、プリセット番号を指定したプリセット登録操作の受け付けは、たとえば、入力装置１に、各プリセット番号に対応するプリセットキーを設け、プリセットキーが長押し（所定期間以上のキー押し下げ）操作が発生したときに、長押しされたプリセットキーに対応するプリセット番号のプリセット登録操作を受け付けることにより行う。
【００４９】
さて、ここで、以上のＰＡＰプリセット選定処理とＰＡＰプリセット登録処理によって、現用プリセットアイテムデータには、現在のオーディオシステムのユーザが、現在接続されているポータブルオーディオプレイヤ１００が接続されている状態で、サーチメニュー上でメニュー項目を選択してプリセット登録操作を行うことにより、プリセット番号ｉに登録した当該選択したメニュー項目までのルートメニューからのルートがプリセットiサーチルートとして登録されていることになる。
【００５０】
次に、制御部６が行うＰＡＰプリセット再生処理について説明する。
ＰＡＰプリセット再生処理は、コネクタ７に接続されたポータブルオーディオプレイヤ１００が出力ソース機器として設定されている期間中実行される。
図６に示すように、この処理では、ユーザのプリセット番号を指定したプリセット再生指示操作の発生を監視する。（ステップ６０２）。そして、プリセット再生指示操作が発生したならば、指定されたプリセット番号をiとして、現用プリセットアイテムデータから、プリセットｉサーチルートを取得する（ステップ６０４）。なお、ユーザのプリセット番号を指定したプリセット再生指示操作の受け付けは、たとえば、入力装置１に、各プリセット番号に対応するプリセットキーを設け、プリセットキーの、前述した長押し操作とならない程度に短時間の押し下げ操作が発生したときに、押し下げられたプリセットキーに対応するプリセット番号のプリセット再生指示操作を受け付けることにより行う。
【００５１】
そして、メニュー項目の選択と、選択メニュー項目の探索を交互に行うことによって、取得したプリセットｉサーチルートに従ってサーチメニューをルートメニューから辿るサーチを、ポータブルオーディオプレイヤ１００から必要なメニュー情報を取得しながら実行する（ステップ６０８）。但し、このサーチは、バックグランド処理として、サーチメニューを表示装置２に表示したり、サーチメニューに対するユーザ操作を受け付けることなく行う。
【００５２】
この結果、たとえば、プリセットｉサーチルートが、「アーティスト」である場合には、ルートメニュー上で前述した「アーティスト選択」を行うサーチが行われ、ルートメニュー上のメニュー項目「アーティスト」が選択状態となる。また、プリセットｉサーチルートが、「アーティスト」-「アーティストＢ」であれば、ルートメニュー上での「アーティスト選択」、「アーティスト探索」、アーティストメニュー上での「アーティストＢ選択」を順次行うサーチが行われ、アーティストメニュー上のメニュー項目「アーティストＢ」が選択状態となる。また、プリセットｉサーチルートが、「アーティスト」-「アーティストＢ」-「アルバムｂ」であれば、ルートメニュー上での「アーティスト選択」、「アーティスト探索」、アーティストメニュー上での「アーティストＢ選択」、「アーティストＢ探索」、アルバムメニュー上での「アルバムｂ選択」を順次行うサーチが行われ、アルバムメニュー上のメニュー項目「アルバムｂ」が選択状態となる。また、プリセットｉサーチルートが、「アーティスト」-「アーティストＢ」-「アルバムｂ」-「タイトル２」であれば、ルートメニュー上での「アーティスト選択」、「アーティスト探索」、アーティストメニュー上での「アーティストＢ選択」、「アーティストＢ探索」、アルバムメニュー上での「アルバムｂ選択」、「アルバムｂ探索」、タイトルメニュー上での「タイトル２選択」を順次行うサーチが行われ、タイトルメニュー上のメニュー項目「タイトル２」が選択状態となる。また、プリセットｉサーチルートが、「プレイリスト」-「プレイリストＢ」であれば、ルートメニュー上での「プレイリスト選択」、「プレイリスト探索」、プレイリストメニュー上の「プレイリストＢ選択」を順次行うサーチが行われ、プレイリストメニュー上のメニュー項目「プレイリストＢ」が選択状態となる。
【００５３】
その後、以上のようなサーチを行ったならば、その時点において選択状態にあるメニュー項目に対応するオーディオファイルまたはプレイリストの再生を要求するコマンドを発行することにより、当該メニュー項目に対応するオーディオファイルまたはプレイリストの再生を行う（ステップ６１０）。
【００５４】
結果、ユーザがプリセット番号iのプリセット登録操作を行ったときに、当該プリセット登録操作に代えて再生開始操作を行ったならば再生されたであろうオーディオファイルまたはプレイリスト、すなわち、プリセット番号iのプリセット登録操作行ったときにサーチメニューを用いて選択していたオーディオファイルまたはプレイリストの再生が、プリセット番号iのプリセット再生指示操作に応答してポータブルオーディオプレイヤ１００で行われることになる。より具体的には、プリセットｉサーチルートが「アーティスト」-「アーティストＢ」であれば、「アーティストＢ」がタグ情報に記述された各オーディオファイルが再生され、プリセットｉサーチルートが「アーティスト」-「アーティストＢ」-「アルバムｂ」であれば、「アーティストＢ」及び「アルバムｂ」がタグ情報に記述された各オーディオファイルが再生され、プリセットｉサーチルートが「アーティスト」-「アーティストＢ」-「アルバムｂ」-「タイトル２」であれば、「アーティストＢ」、「アルバムｂ」及び「タイトル２」がタグ情報に記述されたオーディオファイルが再生され、プリセットｉサーチルートが、「プレイリスト」-「プレイリストＢ」であれば、「プレイリストＢ」のプレイリスト名称を持つプレイリストが再生されることになる。
【００５５】
そして、このように、選択状態にあるメニュー項目に対応するオーディオファイルまたはプレイリストの再生を行ったならば（ステップ６１０）、ステップ６０２からの監視に戻る。
なお、現用プリセットアイテムデータに、プリセットｉサーチルートが登録されていない場合には（ステップ６０６）、そのままステップ６０２の監視に戻る。
以上、本発明の実施形態について説明した。
ところで、以上の実施形態は、オーディオファイルやプレイリスト再生中に、ユーザのプリセット番号iのプリセット登録操作が発生した場合には、制御部６において、現用プリセットアイテムデータに、プリセットｉサーチルートに代えて、再生中のオーディオファイルのタグ情報や再生中のプレイリストのプレイリスト名称をプリセットｉのプリセットアイテムとして登録するようにしてもよい。そして、ユーザから、プリセット番号iのプリセット再生開始操作が発生したときに、制御部６が、現用プリセットアイテムデータにプリセットｉのプリセットアイテムとして登録されているタグ情報と一致するタグ情報を持つオーディオファイルや、プリセットアイテムデータにプリセットｉのプリセットアイテムとして登録されているプレイリスト名称に一致するプレイリスト名称を持つプレイリストを、ポータブルオーディオプレイヤ１００から各オーディオファイルのタグ情報や各プレイリストのプレイリスト名称を取得して探索し、探索したオーディオデータやプレイリストをポータブルオーディオプレイヤ１００に再生させるようにしてもよい。または、それが可能な場合には、ユーザから、プリセット番号iのプリセット再生開始操作が発生したときに、制御部６が、現用プリセットアイテムデータにプリセットｉのプリセットアイテムとして登録されているタグ情報プレイリスト名称をポータブルオーティオプレイヤ１００に指定すると共に、当該指定したタグ情報に一致するタグ情報持つオーディオファイルや当該指定したプレイリスト名称に一致するプレイリスト名称を有するプレイリストの再生をポータブルオーティオプレイヤ１００に行わせるようにしてもよい。
【００５６】
または、オーディオファイルの再生中に、ユーザのプリセット番号iのプリセット登録操作が発生した場合には、制御部６において、現用プリセットアイテムデータに、プリセットｉサーチルートに代えて、再生中のオーディオファイルのタグ情報に記述されているアーティスト名やアルバム名をプリセットｉのプリセットアイテムとして登録し、ユーザから、プリセット番号iのプリセット再生開始操作が発生したときに、制御部６が、現用プリセットアイテムデータにプリセットｉのプリセットアイテムとして登録されているアーティスト名と一致するアーティスト名が記述されたタグ情報を持つ各オーディオファイルや、プリセットアイテムデータにプリセットｉのプリセットアイテムとして登録されているアルバム名と一致するアルバム名が記述されたタグ情報を持つ各オーディオファイルを、上述のようにポータブルオーディオプレイヤ１００に再生させるようにしてもよい。
【００５７】
以上のように、本実施形態によれば、オーディオシステムが接続されたポータブルオーディオプレイヤ１００に記憶されたオーディオファイルやプレイリストに直接アクセスできなくても、ユーザは、支障無く、サーチメニューを用いて絞り込んだオーディオファイルまたはプレイリストや、再生中のオーディオファイルまたはプレイリストなどの所望の、オーディオファイルまたはプレイリストを、プリセット再生指示操作によってオーディオ装置に再生させるオーディオファイルまたはプレイリストとして設定し、利用することができるようになる。
【００５８】
また、本実施形態によれば、オーディオシステムのユーザは、オーディオ装置に複数のポータブルオーディオプレイヤ１００を選択的に接続して利用する場合に、支障無く、ポータブルオーディオプレイヤ毎にプリセット再生指示操作によって再生するオーディオコンテンツを設定し、利用することができるようになる。また、オーディオ装置を複数のユーザで使用する場合にも、各ユーザは、各々独自に、ポータブルオーディオプレイヤ１００毎にプリセット再生指示操作によって再生するオーディオコンテンツを設定し、利用することができるようになる。
【図面の簡単な説明】
【００５９】
【図１】本発明の実施形態に係るオーディオシステムの構成を示すブロック図である。
【図２】本発明の実施形態に係るオーディオシステムが提供するサーチメニューを示す図である。
【図３】本発明の実施形態に係るオーディオシステムが備えるＰＡＰプリセットテーブルを示す図である。
【図４】本発明の実施形態に係るＰＡＰプリセット設定処理を示すフローチャートである。
【図５】本発明の実施形態に係るＰＡＰプリセット登録処理を示すフローチャートである。
【図６】本発明の実施形態に係るＰＡＰプリセット再生処理を示すフローチャートである。
【符号の説明】
【００６０】
１…入力装置、２…表示装置、３…スピーカ、４…オーディオアンプ部、５…オーディオセレクタ、６…制御部、７…コネクタ、８…挿抜検知部、９…オーディオソース、１０…プリセットメモリ、１００…ポータブルオーディオプレイヤ。
【図１】
2008071397.tif 000003
【図２】
2008071397.tif 000004
【図３】
2008071397.tif 000005
【図４】
2008071397.tif 000006
【図５】
2008071397.tif 000007
【図６】
2008071397.tif 000008